(57)【要約】【課題】縫付位置に送るシークインテープを、色や形等の異なるものに簡単に変更できるようにする。【解決手段】  シークイン送り装置２０は、シークインＳが直列に連結されたシークインテープＴをミシン９の縫付位置Ｈに向けて送る送り機構２９を備えている。その送り機構２９は、駆動機構３０と、シークインテープＴを送り可能に支持し、駆動機構３０により駆動されることで該シークインテープＴを送る第一送りユニット４０ｘと、第一送りユニット４０ｘの隣りで別のシークインテープＴを送り可能に支持し、駆動機構３０により駆動されることで該シークインテープＴを送る第二送りユニット４０ｙとを含んでいる。そして、駆動機構３０に第一送りユニット４０ｘが交換できるよう着脱可能に取着され、その第一送りユニット４０ｘに第二送りユニット４０ｙが必要時に増設できるよう着脱可能に取着される。【選択図】図１
2009050624.tif 000002
【特許請求の範囲】
【請求項１】
シークインが直列に連結されたシークインテープをミシンの縫付位置に向けて送る送り機構を備えたシークイン送り装置において、
前記送り機構は、駆動機構と、シークインテープを送り可能に支持し、前記駆動機構により駆動されることで該シークインテープを送る第一送りユニットとを含み、
前記駆動機構に前記第一送りユニットが交換できるよう着脱可能に取着されることを特徴とするシークイン送り装置。
【請求項２】
シークインが直列に連結されたシークインテープをミシンの縫付位置に向けて送る送り機構を備えたシークイン送り装置において、
前記送り機構は、駆動機構と、シークインテープを送り可能に支持し、前記駆動機構により駆動されることで該シークインテープを送る第一送りユニットと、前記第一送りユニットの隣りで別のシークインテープを送り可能に支持し、前記駆動機構により駆動されることで該シークインテープを送る第二送りユニットとを含み、
前記第一送りユニットに前記第二送りユニットが必要時に増設できるよう着脱可能に取着されることを特徴とするシークイン送り装置。
【請求項３】
シークインが直列に連結されたシークインテープをミシンの縫付位置に向けて送る送り機構を備えたシークイン送り装置において、
前記送り機構は、駆動機構と、シークインテープを送り可能に支持し、前記駆動機構により駆動されることで該シークインテープを送る第一送りユニットと、前記第一送りユニットの隣りで別のシークインテープを送り可能に支持し、前記駆動機構により駆動されることで該シークインテープを送る第二送りユニットとを含み、
前記駆動機構に前記第一送りユニットが交換できるよう着脱可能に取着され、
前記第一送りユニットに前記第二送りユニットが必要時に増設できるよう着脱可能に取着されることを特徴とするシークイン送り装置。
【請求項４】
針棒を備えたミシンヘッドと、請求項１記載のシークイン送り装置とを備えたミシンであって、
前記第一送りユニットが前記針棒の直下にシークインテープを送る位置に配されるミシン。
【請求項５】
複数本の針棒を一定の針棒ピッチで並設した針棒支持体と、該針棒支持体を変位させて１本の針棒を縫付位置に割り出す割り出し機構とを備えたミシンヘッドと、前記針棒支持体に取り付けられた請求項２又は３記載のシークイン送り装置とを備えたミシンであって、
前記第一送りユニットが所定の針棒の直下にシークインテープを送る位置に配され、前記第二送りユニットが別の針棒の直下にシークインテープを送る位置に配されるミシン。
【請求項６】
前記駆動機構は、回転力を伝える回転シャフトを備え、
前記第一送りユニットは、一対のプーリ間に張設され、前記シークインテープの表面に接合する表側ベルトと、前記一対のプーリとは異なる一対のプーリ間に張設され、前記シークインテープの裏面に接合する裏側ベルトとを備え、
前記回転シャフトに、いずれかの前記プーリが相対回動不能に連結されることによって、前記駆動機構に前記第一送りユニットが取着される請求項１記載のシークイン送り装置、又は請求項４記載のミシン。
【請求項７】
前記駆動機構は、回転力を伝える回転シャフトを備え、
各送りユニットは、一対のプーリ間に張設され、前記シークインテープの表面に接合する表側ベルトと、前記一対のプーリとは異なる一対のプーリ間に張設され、前記シークインテープの裏面に接合する裏側ベルトとを備え、
前記回転シャフトに、前記第一送りユニットのいずれかの前記プーリが相対回動不能に連結されることによって、前記駆動機構に前記第一送りユニットが取着され、
前記第一送りユニットの少なくともいずれか一つの前記プーリに、前記第二送りユニットの前記プーリが相対回動不能に連結されることによって、前記第一送りユニットに前記第二送りユニットが取着される請求項２若しくは３記載のシークイン送り装置、又は請求項５記載のミシン。
【発明の詳細な説明】
【技術分野】
【０００１】
本発明は、シークインが直列に連結されたシークインテープをミシンの縫付位置に送るシークイン送り装置に関する。
【背景技術】
【０００２】
シークイン送り装置としては、図６に示す従来例のシークイン送り装置９０のように、本体部分に対して着脱不能に取着された、一本のシークインテープＴを送り可能に支持する送り部材９２を備え、該送り部材９２を駆動機構９１により駆動することで該シークインテープＴを縫付位置Ｈに向けて送るものが一般的である（特許文献１）。
【特許文献１】特開２００４−３２９４５７号公報
【発明の開示】
【発明が解決しようとする課題】
【０００３】
ところが、上記従来例では、縫付位置Ｈに向けて送るシークインテープＴを、色や形等の異なるものに変更しようとした場合、現在送り可能に支持しているシークインテープＴを送り部材９２から外し、他の色や形等の異なるシークインテープＴを該送り部材９２に送り可能に支持しない限りは、該変更することができない。
【０００４】
そこで、縫付位置に向けて送るシークインテープを簡単に変更できるようにすることを目的とする。
【課題を解決するための手段】
【０００５】
上記目的を達成するため、本発明の［１］のシークイン送り装置は、シークインが直列に連結されたシークインテープをミシンの縫付位置に向けて送る送り機構を備えたシークイン送り装置において、前記送り機構は、駆動機構と、シークインテープを送り可能に支持し、前記駆動機構により駆動されることで該シークインテープを送る第一送りユニットとを含み、前記駆動機構に前記第一送りユニットが交換できるよう着脱可能に取着されることを特徴とする。
【０００６】
また、同目的を達成するため、本発明の［２］のシークイン送り装置は、シークインが直列に連結されたシークインテープをミシンの縫付位置に向けて送る送り機構を備えたシークイン送り装置において、前記送り機構は、駆動機構と、シークインテープを送り可能に支持し、前記駆動機構により駆動されることで該シークインテープを送る第一送りユニットと、前記第一送りユニットの隣りで別のシークインテープを送り可能に支持し、前記駆動機構により駆動されることで該シークインテープを送る第二送りユニットとを含み、前記第一送りユニットに前記第二送りユニットが必要時に増設できるよう着脱可能に取着されることを特徴とする。
【０００７】
また、上記［１］［２］を統合した本発明の［３］のシークイン送り装置は、シークインが直列に連結されたシークインテープをミシンの縫付位置に向けて送る送り機構を備えたシークイン送り装置において、前記送り機構は、駆動機構と、シークインテープを送り可能に支持し、前記駆動機構により駆動されることで該シークインテープを送る第一送りユニットと、前記第一送りユニットの隣りで別のシークインテープを送り可能に支持し、前記駆動機構により駆動されることで該シークインテープを送る第二送りユニットとを含み、前記駆動機構に前記第一送りユニットが交換できるよう着脱可能に取着され、前記第一送りユニットに前記第二送りユニットが必要時に増設できるよう着脱可能に取着されることを特徴とする。
【０００８】
上記［２］［３］において、前記送り装置は、特に限定されないが、前記第二送りユニットの隣りで更に別のシークインテープを送り可能に支持し、前記駆動機構により駆動されることで該シークインテープを送る第三送りユニットを含み、前記第二送りユニットに前記第三送りユニットが必要時に増設できるよう着脱可能に取着されてもよい。また、更に、該第三送りユニットの隣に、第四，第五・・・送りユニットが同様に取着されてもよい。
【０００９】
また、同目的を達成するため、前記ミシンは、次の［４］［５］のいずれかのミシンとなっている。
【００１０】
［４］針棒を備えたミシンヘッドと、前記［１］のシークイン送り装置とを備えたミシンであって、前記第一送りユニットが前記針棒の直下にシークインテープを送る位置に配されるミシン。
【００１１】
［５］複数本の針棒を一定の針棒ピッチで並設した針棒支持体と、該針棒支持体を変位させて１本の針棒を縫付位置に割り出す割り出し機構とを備えたミシンヘッドと、前記針棒支持体に取り付けられた前記［２］又は［３］のシークイン送り装置とを備えたミシンであって、前記第一送りユニットが所定の針棒の直下にシークインテープを送る位置に配され、前記第二送りユニットが別の針棒の直下にシークインテープを送る位置に配されるミシン。
このような構成にすれば、該針棒支持体を割り出し機構で変位させるだけで、縫付位置に割り出す針棒とその縫付位置にシークインを送る位置に配す送りユニットとを同時に変更することができる。
【００１２】
前記［５］において、前記第一及び第二送りユニットのピッチは、特に限定されないが、前記針棒のピッチの２倍又は３倍であることが好ましい。１倍にすると送りユニットが幅方向に狭くなり過ぎる一方、４倍以上にすると広くなり過ぎるからである。
【００１３】
前記［１］［４］において、前記送り機構は、特に限定されないが、前記駆動機構は、回転力を伝える回転シャフトを備え、前記第一送りユニットは、一対のプーリ間に張設され、前記シークインテープの表面に接合する表側ベルトと、前記一対のプーリとは異なる一対のプーリ間に張設され、前記シークインテープの裏面に接合する裏側ベルトとを備え、前記回転シャフトに、いずれかの前記プーリが相対回動不能に連結されることによって、前記駆動機構に前記第一送りユニットが取着されることが好ましい。
【００１４】
また、前記［２］［３］［５］において、前記送り機構は、特に限定されないが、前記駆動機構は、回転力を伝える回転シャフトを備え、各送りユニットは、一対のプーリ間に張設され、前記シークインテープの表面に接合する表側ベルトと、前記一対のプーリとは異なる一対のプーリ間に張設され、前記シークインテープの裏面に接合する裏側ベルトとを備え、前記回転シャフトに、前記第一送りユニットのいずれかの前記プーリが相対回動不能に連結されることによって、前記駆動機構に前記第一送りユニットが取着され、前記第一送りユニットの少なくともいずれか一つの前記プーリに、前記第二送りユニットの前記プーリが相対回動不能に連結されることによって、前記第一送りユニットに前記第二送りユニットが取着されることが好ましい。
【発明の効果】
【００１５】
［１］の本発明によれば、駆動機構に第一送りユニットが交換できるよう着脱可能に取着されるため、該第一送りユニットを、異なるシークインテープを支持したものに交換するだけで、縫付位置に向けて送るシークインテープを簡単に変更できる。
【００１６】
［２］の本発明によれば、シークインテープを送る第一送りユニットと、その隣りで別のシークインテープを送る第二送りユニットとがあるため、該第一送りユニットと該第二送りユニットとの間で、実際にシークインテープをミシンの縫付位置に向けて送る送りユニットを切り替えるだけで、該縫付位置に向けて送るシークインテープを簡単に変更できる。
【００１７】
また、［３］の本発明によれば、以上に示した［１］の本発明による作用と［２］の本発明による作用との双方の作用により、縫付位置に向けて送るシークインテープを簡単に変更できる。
【発明を実施するための最良の形態】
【００１８】
本発明のミシン９は、複数本の針棒１２ａ，１２ｂ，・・・，１２ｉを一定の針棒ピッチＰで並設した針棒支持体１１と、該針棒支持体１１を変位させて１本の針棒を縫付位置Ｈの直上に割り出す割り出し機構１４とを備えたミシンヘッド１０と、針棒支持体１１に取り付けられたシークイン送り装置２０とを備えている。そのシークイン送り装置２０は、シークインＳが直列に連結されたシークインテープＴをミシン９の縫付位置Ｈに向けて送る送り機構２９を備えている。
【００１９】
送り機構２９は、駆動機構３０と、シークインテープＴを送り可能に支持し、駆動機構３０により駆動されることで該シークインテープＴを所定の針棒１２ａの直下に送る第一送りユニット４０ｘと、第一送りユニット４０ｘの隣りで別のシークインテープＴを送り可能に支持し、駆動機構３０により駆動されることで該シークインテープＴを別の針棒１２ｃの直下に送る第二送りユニット４０ｙとを含んでいる。そして、駆動機構３０に第一送りユニット４０ｘが交換できるよう着脱可能に取着され、その第一送りユニット４０ｘに第二送りユニット４０ｙが必要時に増設できるよう着脱可能に取着される。
【００２０】
詳しくは、駆動機構３０は、回転力を伝える回転シャフト３４を備え、各送りユニットは、一対のプーリ５３，５３間に張設され、シークインテープＴの表面に接合する表側ベルト５２と、該一対のプーリ５３，５３とは異なる一対のプーリ５３，５３間に張設され、シークインテープＴの裏面に接合する裏側ベルト５１とを備えている。そして、回転シャフト３４に、第一送りユニット４０ｘのいずれかのプーリ５３が相対回動不能に連結されることによって、駆動機構３０に第一送りユニット４０ｘが取着され、第一送りユニット４０ｘの少なくともいずれか一つのプーリ５３に、第二送りユニット４０ｙのプーリ５３が相対回動不能に連結されることによって、第一送りユニット４０ｘに第二送りユニット４０ｙが取着される。
【実施例】
【００２１】
本実施例の図１〜図５に示すミシン９は、テーブル７と、該テーブル７の上方で加工布Ｗを展張する刺繍枠８と、該展張した加工布Ｗに刺繍を行う複数台のミシン９とを備えた多頭式刺繍機の該複数台のミシン９のうちの一つであって、上糸を供給するミシンヘッド１０と、下糸を供給するベッド１５と、シークインＳが直列に連結されたシークインテープＴをミシンヘッド１０とベッド１５との間の縫付位置Ｈに向けて送るシークイン送り装置２０とを含み構成されている。そして、テーブル７の一端部には、該ミシン９のミシンヘッド１０とベッド１５とシークイン送り装置２０とを同期制御するコントローラ（図示略）が設置されている。
【００２２】
ミシンヘッド１０は、下端部にミシン針１３を備えた複数本の針棒１２ａ，１２ｂ，・・・，１２ｉを一定の針棒ピッチＰ（約１２ｍｍ）で並設した針棒支持体１１と、該針棒支持体１１を針棒１２ａ，１２ｂ，・・・，１２ｉの並設方向Ｌ，Ｒに変位させることによって択一的に１本の針棒を縫付位置Ｈに割り出す割り出し機構１４とを備えている。また、ベッド１５は、縫付位置Ｈの直下に針落ち穴１７が貫設された針板１６と、該針落ち穴１７の直下に設置された釜１８とを備えている。
【００２３】
シークイン送り装置２０は、針棒支持体１１にフレーム２１を介して取着されており、シークインテープＴがそれぞれ収納された複数のリール２４，２４と、各リール２４のシークインテープＴをそれぞれ送り可能に支持した複数の送りユニット４０ｘ，４０ｙを駆動機構３０で駆動することにより、各リール２４のシークインテープＴを針棒１２ａ，１２ｃの直下にそれぞれ送り出す送り機構２９とを含み構成されている。そして、各送りユニット４０ｘ，４０ｙの入口部に対しては、シークインテープＴを該ユニットに案内する一対のガイド６１，６１と、その相互間の幅調整を行う調整機構６２と、該幅調整を行う際に係止ピン（図示略）を取付部６４に取り付けることによって該係止ピンでシークインテープＴを一時的に係止する係止機構６３とが設けられている。また、各送りユニット４０ｘ，４０ｙの出口部に対しては、送られてきたシークインＳのサイズ等を検出する光センサ機構６６と、縫付位置Ｈに送り出された先頭のシークインＳをシークインテープＴから切り離すカッター６７とが設けられ、該カッター６７は、それぞれ針棒１２ａ，１２ｃの押圧部（図示略）に押圧されることによって駆動される仕組みとなっている。
【００２４】
リール２４は、フレーム２１の上部に、各送りユニット４０ｘ，４０ｙに対して毎に一つずつ取着されており、各リール２４は、該送りユニットの数に応じて増設及び外すことができるよう着脱可能となっている。
【００２５】
送り機構２９は、フレーム２１の下部に取着されており、上記駆動機構３０と、上記複数の送りユニット４０ｘ，４０ｙとを含み構成されている。
【００２６】
駆動機構３０は、フレーム２１に取着されたステッピングモータ３１と、該モータの回転力を伝える回転シャフト３４とを備え、該モータと該シャフトとは、ステッピングモータ３１のモータ軸３２の先端部に設けられた大径ギア３３と、回転シャフト３４の基端部に設けられた小径ギア３５とが噛み合うことによって接続されている。そして、回転シャフト３４の先端部には、第一送りユニット４０ｘを駆動可能に連結するための連結凸部３６が設けられている。
【００２７】
送りユニット４０ｘ，４０ｙは、駆動機構３０に第一送りユニット４０ｘが交換できるよう着脱可能に取着され、その第一送りユニット４０ｘに第二送りユニット４０ｙが必要時には増設でき、不必要時には外すことができ、また、交換できるよう着脱可能に取着されることによって、該第一送りユニット４０ｘが駆動機構３０に駆動可能に直接連結され、該第二送りユニット４０ｙが第一送りユニット４０ｘを介して駆動機構３０に駆動可能に連結される。このとき、第一送りユニット４０ｘは、所定の針棒１２ａの直下にシークインテープＴを送る位置に配され、第二送りユニット４０ｙは、第一送りユニット４０ｘの隣に、針棒ピッチＰ（約１２ｍｍ）の整数倍（２倍）のピッチＱ（約２４ｍｍ）で並設されることによって、上記所定の針棒１２ａのいくつか（２つ）隣の別の針棒１２ｃの直下にシークインテープＴを送る位置に並べて配される。
【００２８】
これら各送りユニット４０ｘ，４０ｙは、外形部分を構成するハウジング４１と、該ハウジング４１の内側でシークインテープＴの裏面に接合する裏側ベルト５１と、同じく該内側でシークインテープＴの表面に接合する表側ベルト５２とを備え、該裏側及び表側ベルト５１，５２を駆動機構３０で駆動することによって、シークインテープＴを裏側ベルト５１と表側ベルト５２とで挟み付けて送る構成となっている。
【００２９】
詳しくは、ハウジング４１は、上側ほど対応する各針棒１２ａ，１２ｃから離間し下側ほど該針棒１２ａ，１２ｃに接近するよう該針棒１２ａ，１２ｃに対して斜状に形成されており、そのハウジング４１の上部と下部とに取り付けられた一対のプーリ５３，５３間に、裏側ベルト５１が張設されている。また、該ハウジング４１の内側の裏側ベルト５１の向かい側には、ケース４２が該ハウジング４１に沿って傾状に納められており、そのケース４２の上部と下部とに取り付けられた一対のプーリ５３，５３間に、表側ベルト５２が張設されている。そのケース４２にはハンドル４３が取り付けられており、該ハンドル４３を引きケース４２をハウジング４１から開くことによって、表側ベルト５２を裏側ベルト５１に対して開閉可能となっている。なお、これら裏側及び表側ベルト５１，５２には、柔軟な歯付エンドレスベルトが用いられている。
【００３０】
これら各送りユニット４０ｘ，４０ｙを、上記の通り、駆動機構３０に駆動可能に連結する連結構造について説明すると、図３に示すように、各プーリ５３のプーリ軸５４の駆動機構３０側の端には、嵌合凹部５５が設けられ、反対側の端には、嵌合凸部５６が設けられている。そして、第一送りユニット４０ｘがフレーム２１の下部に係止されるとともに、回転シャフト３４の連結凸部３６に、該第一送りユニット４０ｘの４つの嵌合凹部５５のうちの１つが相対回動不能に嵌合することによって、駆動機構３０に該第一送りユニット４０ｘが駆動可能に連結される。その第一送りユニット４０ｘの４つの嵌合凹部５５に、第二送りユニット４０ｙの４つの嵌合凸部５６が相対回動不能に嵌合することによって、該第一送りユニット４０ｘに第二送りユニット４０ｙが駆動可能に連結される。
【００３１】
本実施例によれば、針棒１２ａ，１２ｂ，・・・，１２ｉを並設した針棒支持体１１に送りユニット４０ｘ，４０ｙが取着されるため、図４（ａ），（ｂ）に示すように、該針棒支持体１１を割り出し機構１４で針棒の並設方向Ｌ，Ｒに駆動するだけで、縫付位置Ｈに割り出す針棒１２ａ，１２ｂ，・・・，１２ｉを変えると同時に、その縫付位置ＨにシークインテープＴを送る位置に配す送りユニット４０ｘ，４０ｙも変えることができる。そのため、例えば、赤色の上糸を縫い付ける針棒１２ａに対して赤色のシークインテープＴを送る送りユニット４０ｘを設置し、青色の上糸を縫い付ける針棒１２ｃに対して青色のシークインテープＴを送る送りユニット４０ｙを設置する等、各色の上糸を縫い付ける針棒に対して同色のシークインテープＴを送る送りユニットを設置すれば、上糸の色とシークインの色とを相互に揃えつつ同時に変更することができる。また、例えば、送りユニット４０ｘ，４０ｙ間でシークインテープＴのサイズを変えれば、縫い付けるシークインＳのサイズを変更することもできる。
【００３２】
また、本実施例によれば、各送りユニット４０ｘ，４０ｙ及びリール２４，２４がそれぞれ着脱可能なため、各送りユニットを、異なるシークインテープＴを支持したものに、該ユニットにシークインテープＴを送るリール２４とともにそれぞれ交換することによっても、縫付位置Ｈに送るシークインテープＴを簡単に変更できる。また、該着脱可能なため、必要に応じて、図５（ａ）に示すように、第二送りユニット４０ｙを、該ユニットにシークインテープＴを送るリール２４とともに外したり、図５（ｂ）に示すように、第二送りユニット４０ｙの隣に第三送りユニット４０ｚを、該ユニットにシークインテープＴを送るリール２４とともに増設したり、更にその隣に第四，第五・・・送りユニットを同様にリールとともに増設したりすることもできる。
【００３３】
なお、本発明は上記実施例に限定されるものではなく、発明の趣旨から逸脱しない範囲で適宜変更して具体化することもでき、例えば、各送りユニット４０ｘ，４０ｙの嵌合凹部５５と嵌合凸部５６とを入れ替えてもよい。
【図面の簡単な説明】
【００３４】
【図１】実施例のミシンを示す正面図である。
【図２】同実施例のミシンのシークイン送り装置を斜め後上方からみた斜視図である。
【図３】図２のシークイン送り装置の内部を示す拡大斜視図である。
【図４】同実施例で（ａ）は第一送りユニットを、縫付位置にシークインテープを送る位置に配した際の様子を示す正面図、（ｂ）は第二送りユニットを、縫付位置にシークインテープを送る位置に配した際の様子を示す正面図である。
【図５】同実施例で（ａ）は第二送りユニットを外した際の様子を示す正面図、（ｂ）は第三送りユニットを増設した際の様子を示す正面図である。
【図６】従来例のシークイン送り装置を示す側面図である。
【符号の説明】
【００３５】
９    ミシン
１０    ミシンヘッド
１１    針棒支持体
１２ａ  針棒
１２ｂ  針棒
・
・
１２ｉ  針棒
１４    割り出し機構
２０    シークイン送り装置
２９    送り機構
３０    駆動機構
３４    回転シャフト
４０ｘ  第一送りユニット
４０ｙ  第二送りユニット
５１    裏側ベルト
５２    表側ベルト
５３    プーリ
Ｈ    縫付位置
Ｔ    シークインテープ
Ｓ    シークイン
【図１】
2009050624.tif 000003
【図２】
2009050624.tif 000004
【図３】
2009050624.tif 000005
【図４】
2009050624.tif 000006
【図５】
2009050624.tif 000007
【図６】
2009050624.tif 000008